(57)【要約】【課題】  ハイライト動画を編集してインターネットを介して再生される動画の検索精度を向上できるビデオサーバシステム及びそのプログラムを提供する。【解決手段】  ハイライト動画編集装置１４が、操作端末１５から対象とする映像のハイライトリクエストを入力し、クラウドサービス装置３２にハイライトリクエストを出力し、それに対して検索結果ＥＤＬデータの返送を受け、そのＥＤＬデータで素材サーバ１１からハイライト動画データを取得して操作端末１５に出力し、操作端末１５から修正ＥＤＬデータを入力すると、修正ＥＤＬデータをクラウドサービス装置３２に出力するビデオサーバである。【選択図】        図４
2020154349.tif 000002
【特許請求の範囲】
【請求項１】
動画データの配信に関するビデオサーバシステムであって、
動画データを記憶し、入力される編集用データに基づいて動画データを生成する素材サーバと、
映像のハイライト動画のリクエストをクラウドの動画データ検索装置に出力すると、前記動画データ検索装置から検索結果の編集用データを入力し、当該編集用データを基に前記素材サーバからハイライト動画データを取得するハイライト動画編集装置とを有することを特徴とするビデオサーバシステム。
【請求項２】
前記ハイライト動画編集装置からのハイライト動画データを入力して表示し、指示を入力する操作端末を備え、
前記ハイライト動画編集装置は、前記素材サーバからのハイライト動画データを修正する修正の編集用データが前記操作端末から入力されると、前記動画データ検索装置に前記修正の編集用データを出力することを特徴とする請求項１記載のビデオサーバシステム。
【請求項３】
動画データを放送用に送出する送出サーバを備え、
前記ハイライト動画編集装置は、前記修正の編集用データを前記素材サーバに出力し、前記素材サーバは、前記修正の編集用データを基にハイライト動画データを生成し、前記送出サーバに出力し、前記送出サーバが前記ハイライト動画データを放送用に送出することを特徴とする請求項２記載のビデオサーバシステム。
【請求項４】
前記動画データ検索装置では、検索結果の編集用データを前記修正の編集用データで更新し、編集用データの更新を人工知能により学習させることを特徴とする請求項２又は３記載のビデオサーバシステム。
【請求項５】
ハイライト動画を編集するハイライト動画編集装置で実行される処理プログラムであって、
前記ハイライト動画編集装置は、映像のハイライト動画のリクエストをクラウドの動画データ検索装置に出力し、前記動画データ検索装置から検索結果の編集用データを入力し、当該編集用データを基に素材サーバからハイライト動画データを取得し、前記ハイライト動画データを修正する修正の編集用データを操作端末から入力し、前記動画データ検索装置に前記修正の編集用データを出力するよう機能させることを特徴とするプログラム。
【発明の詳細な説明】
【技術分野】
【０００１】
本発明は、映像を編集するビデオサーバシステムに係り、特に、特定の人物や出来事に関するハイライト動画を編集してインターネットを介して再生される動画の検索精度を向上できるビデオサーバシステム及びそのプログラムに関する。
【背景技術】
【０００２】
［従来の技術］
従来、スポーツ素材、取材素材等の素材を収録し、編集して送出し、またアーカイブする映像システムがある。
この従来の映像システムは、アーカイブしたハイレゾ（High Resolution／高解像度）の映像データをローレゾ（Low Resolution／低解像度）に変換してクラウド上のサーバに格納させ、一般ユーザの検索によりローレゾの映像データを提供している。
【０００３】
［従来の映像システム：図６］
次に、従来の映像システムについて図６を参照しながら説明する。図６は、従来の映像システムの構成概略図である。
まず、従来の映像システムの利用環境を説明する。
利用環境は、図６に示すように、素材となる動画データを収録・編集して作成し、保有する放送局と、放送局で作成された動画データを利用する一般ユーザと、放送局からの動画データを保持し、一般ユーザからのリクエストにより動画データを提供するクラウドとから構成されている。
【０００４】
一般ユーザは、テレビ２１と、パソコン、スマホ、タブレット等のユーザ端末２２とを有している。
クラウドは、インターネット３１と、クラウドサービス装置３２と、クラウドサーバ３３とを有している。
放送局は、素材サーバ１１と、送出サーバ１２と、ローレゾサーバ１３とを有している。
【０００５】
放送局の素材サーバ１１は、ハイレゾ素材の動画データを記憶している。
送出サーバ１２は、素材サーバ１１に記憶する動画データを放送として一般ユーザ側のテレビ２１に送出する。
ローレゾサーバ１３は、素材サーバ１１のハイレゾの動画データをローレゾに変換して記憶し、クラウド側のクラウドサーバ３３に提供している。
【０００６】
クラウドサービス装置３２は、インターネット３１からの動画再生リクエストに対して検索エンジンで検索を行い、配信制御のＥＤＬ（Edit Decision List／編集用データリスト）データをクラウドサーバ３３に出力する。
クラウドサーバ３３は、ＥＤＬデータに基づいて関連する動画データを編集してインターネット３１に動画配信を行う。
【０００７】
一般ユーザ側のテレビ２１は、放送局からの動画データを放送として表示する。
また、ユーザ端末２２でインターネット３１に動画再生リクエストを行い、インターネット３１からの動画を再生するものである。
【０００８】
［関連技術］
尚、関連する先行技術として、特開２０１２−１４７１１０号公報「映像データ処理装置」（特許文献１）がある。
特許文献１には、符号化された高解像度圧縮データに編集処理及び一本化処理を施し、符号化された低解像度圧縮データに編集処理及び一本化処理を施す映像データ処理装置が示されている。
【先行技術文献】
【特許文献】
【０００９】
【特許文献１】特開２０１２−１４７１１０号公報
【発明の概要】
【発明が解決しようとする課題】
【００１０】
しかしながら、従来の映像システムでは、クラウドサーバには膨大な映像データ（映像資産）が蓄積されており、その映像資産から特定の人物、出来事を検索し、該当する映像データを抽出することは難しく、後で再利用する際に、必要な箇所を探す手間と処理時間が掛かり、更に検索の精度もよくないという問題点があった。
【００１１】
尚、特許文献１には、クラウドサービス装置における検索結果を、目的とする人物や出来事を端的に表す内容に修正することは記載されていない。
【００１２】
本発明は上記実情に鑑みて為されたもので、ハイライト動画を編集してインターネットを介して再生される動画の検索精度を向上できるビデオサーバシステム及びそのプログラムを提供することを目的とする。
【課題を解決するための手段】
【００１３】
上記従来例の問題点を解決するための本発明は、動画データの配信に関するビデオサーバシステムであって、動画データを記憶し、入力される編集用データに基づいて動画データを生成する素材サーバと、映像のハイライト動画のリクエストをクラウドの動画データ検索装置に出力すると、動画データ検索装置から検索結果の編集用データを入力し、当該編集用データを基に素材サーバからハイライト動画データを取得するハイライト動画編集装置とを有することを特徴とする。
【００１４】
本発明は、上記ビデオサーバシステムにおいて、ハイライト動画編集装置からのハイライト動画データを入力して表示し、指示を入力する操作端末を備え、ハイライト動画編集装置が、素材サーバからのハイライト動画データを修正する修正の編集用データが操作端末から入力されると、動画データ検索装置に修正の編集用データを出力することを特徴とする。
【００１５】
本発明は、上記ビデオサーバシステムにおいて、動画データを放送用に送出する送出サーバを備え、ハイライト動画編集装置が、修正の編集用データを素材サーバに出力し、素材サーバが、修正の編集用データを基にハイライト動画データを生成し、送出サーバに出力し、送出サーバがハイライト動画データを放送用に送出することを特徴とする。
【００１６】
本発明は、上記ビデオサーバシステムにおいて、動画データ検索装置では、検索結果の編集用データを修正の編集用データで更新し、編集用データの更新を人工知能により学習させることを特徴とする。
【００１７】
本発明は、ハイライト動画を編集するハイライト動画編集装置で実行される処理プログラムであって、ハイライト動画編集装置を、映像のハイライト動画のリクエストをクラウドの動画データ検索装置に出力し、動画データ検索装置から検索結果の編集用データを入力し、当該編集用データを基に素材サーバからハイライト動画データを取得し、ハイライト動画データを修正する修正の編集用データが操作端末から入力し、動画データ検索装置に修正の編集用データを出力するよう機能させることを特徴とする。
【発明の効果】
【００１８】
本発明によれば、映像のハイライト動画のリクエストをクラウドの動画データ検索装置に出力すると、動画データ検索装置から検索結果の編集用データを入力し、当該編集用データを基に素材サーバからハイライト動画データを取得するハイライト動画編集装置を有するビデオサーバシステムとしているので、動画データ検索装置での検索結果の編集用データに基づくハイライト動画を確認でき、ハイライト動画の検索精度を向上させることができる効果がある。
【００１９】
本発明によれば、ハイライト動画編集装置が、素材サーバからのハイライト動画データを修正する修正の編集用データを入力し、動画データ検索装置に修正の編集用データを出力する上記ビデオサーバシステムとしているので、動画データ検索装置に修正の編集用データをフィードバックして学習させることができ、インターネットから動画再生リクエストに基づく検索結果を目的とする人物や出来事を端的に表す内容に近づけることができ、ハイライト動画の検索精度を向上させることができる効果がある。
【図面の簡単な説明】
【００２０】
【図１】本システムの構成概略図である。
【図２】本システムのハイライトリクエスト処理を示す図である。
【図３】本システムのハイライト動画生成処理を示す図である。
【図４】本システムのハイライト動画の修正ＥＤＬデータ修正処理を示す図である。
【図５】ハイライト動画編集装置の処理を示すフロー図である。
【図６】従来の映像システムの構成概略図である。
【発明を実施するための形態】
【００２１】
本発明の実施の形態について図面を参照しながら説明する。
［実施の形態の概要］
本発明の実施の形態に係るビデオサーバシステム（本システム）は、ハイライト動画編集装置が、操作端末から対象とする映像のハイライト動画のリクエストを入力すると、クラウドサービス装置にハイライト動画再生リクエストを出力し、そのリクエストに対してクラウドサービス装置からの検索結果編集用データを入力すると、その編集用データで素材サーバから素材データを取得して操作端末にハイライト動画を出力し、操作端末から修正の編集用データを入力すると、修正の編集用データをクラウドサービス装置に出力するようにしているので、クラウドサービス装置に修正の編集用データをフィードバックして学習させることができ、インターネットから動画再生リクエストに基づく検索結果を、目的とする人物や出来事を端的に表す内容に近づけることができ、ハイライト動画の検索精度を向上させることができるものである。
【００２２】
［本システムの構成：図１］
本システムについて図１を参照しながら説明する。図１は、本システムの構成概略図である。尚、以下に示すサーバ、装置、端末は、コンピュータ処理装置である。
本システムの利用環境は、図１に示すように、従来の利用環境とほぼ同様であるが、構成は少し異なっている。
相違する点は、まず、クラウドサーバ３３がローレゾの動画データだけでなくハイレゾの動画データも記憶しており、動画配信には両方の動画データを用いている点である。
【００２３】
また、クラウドサービス装置（動画データ検索装置）３２は、後述するハイライト動画編集装置１４からのハイライト動画のリクエスト（ハイライトリクエスト）を入力して、検索エンジンによる検索結果の編集用データ（ＥＤＬデータ）を返信し、更にハイライト動画編集装置１４からの修正ＥＤＬデータを入力して、インターネット３１から入力される同じリクエストに対応する検索結果のＥＤＬデータを変更する点が、従来と異なっている。 
【００２４】
放送局は、従来と同様に素材サーバ１１と、送出サーバ１２と、ローレゾサーバ１３とを備え、更にハイライト動画編集装置１４と、操作端末１５とを新たに設けている。
尚、放送局に設けられた上記装置、サーバは、放送局が自主管理するオンプレミスのものである。これに対してクラウドは、外部の装置、サーバとなる。
【００２５】
［素材サーバ１１］
素材サーバ１１は、作成されたハイレゾの素材データ（動画データ）を入力して、保管（アーカイブ）している。
また、素材サーバ１１は、ハイレゾの動画データをローレゾ作成によりローレゾサーバ１３に出力すると共に、ハイレゾ動画データをハイレゾのままクラウドサーバ３３に出力する。
【００２６】
また、素材サーバ１１は、ハイライト動画編集装置１４からＥＤＬデータを入力すると、そのＥＤＬデータに基づいて素材データを収集してハイライト動画データとしてハイライト動画編集装置１４に返送する。
また、素材サーバ１１は、ハイライト動画編集装置１４からのＥＤＬデータを入力すると、そのＥＤＬデータに基づくハイライト動画データを生成して送出サーバ１２に出力することがある。
【００２７】
［送出サーバ１２］
送出サーバ１２は、素材サーバ１１の素材データを放送として一般ユーザのテレビ２１に送出する。
また、送出サーバ１２は、ハイライト動画編集装置１４で生成されたＥＤＬデータに基づくハイライト動画データを素材サーバ１１から入力し、放送用として送出する。
【００２８】
［ローレゾサーバ１３］
ローレゾサーバ１３は、素材サーバ１１からのハイレゾ動画データをローレゾ動画データに変換して記憶すると共に、クラウドサーバ３３に出力する。
【００２９】
［ハイライト動画編集装置１４］
本システムの特徴部分であるハイライト動画編集装置１４は、クラウドサービス装置３２の検索エンジンでハイライトリクエストにより検索を行わせ、その検索結果のＥＤＬデータで放送局内の素材サーバ１１にハイライト動画データを生成させて、確認することができ、更にＥＤＬデータを修正してクラウドサービス装置３２にフィードバックできるものである。
【００３０】
具体的には、ハイライト動画編集装置１４は、操作端末１５からハイライト動画のリクエスト（ハイライトリクエスト）を入力し、クラウドサービス装置３２にハイライトリクエストを出力し、クラウドサービス装置３２から検索結果のＥＤＬデータを入力し、それを素材サーバ１１に出力する。ここで、ハイライトリクエストは、インターネット３１からクラウドサービス装置３２に入力される動画再生リクエストと同様のものである。
【００３１】
尚、ハイライトリクエストは、操作端末１５の操作者の指示により生成されるもので、放送に関連して特定の人物やイベントをインターネット３１から一般ユーザのユーザ端末２２で容易に検索可能とする場合に、利用される。
そして、ハイライト動画編集装置１４は、素材サーバ１１からハイライト動画データを入力し、操作端末１５に出力する。
【００３２】
また、ハイライト動画編集装置１４は、操作端末１５からの修正ＥＤＬデータを入力し、クラウドサービス装置３２に出力する。
修正ＥＤＬデータは、クラウドサービス装置３２での検索結果のＥＤＬデータを修正したい場合に、目的の内容に修正したＥＤＬデータである。具体的には、操作端末１５の表示部にハイライト動画を表示させた操作者が、目的とする人物や出来事の内容でないと判断した場合に、目的の内容になるようＥＤＬデータを修正するものである。
【００３３】
この修正ＥＤＬデータによってクラウドサービス装置３２での検索結果ＥＤＬデータを変更させ、ＡＩ（Artificial Intelligence）で学習させるものである。
つまり、クラウドサービス装置３２にハイライトリクエストと同じ動画再生リクエストがインターネット３１から入力された場合の検索結果を、ハイライト動画編集装置１４からの修正ＥＤＬデータに変更（修正）するもので、検索エンジンでの検索結果が目的とする人物又は出来事の内容になるよう、クラウドサービス装置３２に学習させるものである。
【００３４】
［操作端末１５］
操作端末１５は、表示部と入力部を備え、入力部から入力されたハイライトリクエストをハイライト動画編集装置１４に出力し、ハイライト動画編集装置１４からハイライト動画データを入力して表示部に表示し、入力部から修正したＥＤＬデータ（修正ＥＤＬデータ）をハイライト動画編集装置１４に出力する。
【００３５】
［本システムでの処理：図２〜５］
次に、本システムの処理について図２〜５を参照しながら説明する。図２は、本システムのハイライトリクエスト処理を示す図であり、図３は、本システムのハイライト動画生成処理を示す図であり、図４は、本システムのハイライト動画の修正ＥＤＬデータ修正処理を示す図であり、図５は、ハイライト動画編集装置の処理を示すフロー図である。
尚、図５の処理を実現するプログラムがハイライト動画編集装置１４の記憶部に記憶されており、内部の制御部でそのプログラムが実行されることで、処理が実現される。
【００３６】
［ハイライトリクエスト処理：図２、図５］
まず、本システムにおけるハイライトリクエスト処理について図２，５を参照しながら説明する。
ハイライトリクエスト処理は、図２，５に示すように、ハイライト動画編集装置１４が操作端末１５からハイライト動画リクエスト（ハイライトリクエスト）（１）を入力し（Ｓ１）、クラウドサービス装置３２にハイライトリクエスト（３）を出力する（Ｓ２）。
【００３７】
クラウドサービス装置３２は、ハイライト動画編集装置１４からのハイライトリクエストに基づき検索エンジンで検索を行い、検索結果のＥＤＬデータ（３）をハイライト動画編集装置１４に出力し、ハイライト動画編集装置１４はその検索結果ＥＤＬデータ（３）を入力する（Ｓ３）。このようにしてハイライトリクエスト処理が為される。
【００３８】
［ハイライト動画生成処理：図３、図５］
次に、ハイライト動画生成処理について図３，５を参照しながら説明する。
ハイライト動画生成処理は、図３，５に示すように、ハイライト動画編集装置１４が入力した検索結果ＥＤＬデータ（３）を素材サーバ１１にＥＤＬデータ（４）として出力する（Ｓ４）。
【００３９】
素材サーバ１１は、ＥＤＬデータ（４）を入力すると、その編集リストに対応する素材データを収集し、ハイライト動画編集装置１４に素材データ（５）を出力する。
ハイライト動画編集装置１４は、素材データ（５）を入力し（Ｓ５）、その素材データをハイライト動画データ（６）として操作端末１５に出力する（Ｓ６）。
操作端末１５では、ハイライト動画データを表示部に表示する。
【００４０】
［ハイライト動画のＥＤＬデータ修正処理：図４、図５］
次に、ハイライト動画のＥＤＬデータ修正処理について図４，５を参照しながら説明する。
ハイライト動画のＥＤＬデータ修正処理は、図４，５に示すように、操作端末１５が表示されたハイライト動画を操作者が参照し、修正が必要と判断すると、修正ＥＤＬデータ（７）をハイライト動画編集装置１４に出力する。
【００４１】
ハイライト動画編集装置１４は、修正ＥＤＬデータ（７）を入力し（Ｓ７）、その修正ＥＤＬデータ（８）をクラウドサービス装置３２に出力する（Ｓ８）。
すると、クラウドサービス装置３２は、以前ハイライト動画編集装置１４に出力した検索結果ＥＤＬデータ（３）を修正ＥＤＬデータ（８）で変更（修正）することになる。
【００４２】
クラウドサービス装置３２は、ＡＩを搭載しているので、修正ＥＤＬデータ（８）を学習することにより、動画再生リクエストの動画再生結果として、目的の人物や出来事に関する映像を表すハイライト動画が検索され易くなり、検索精度を向上させることができる。
【００４３】
［本システムの全体の処理］
本システムの全体の処理は、放送局で素材サーバ１１がハイレゾ素材を記憶して、送出サーバ１２に出力すると、送出サーバ１２が放送として一般ユーザのテレビ２１に送出する。
【００４４】
また、素材サーバ１１は、ローレゾサーバ１３とクラウドサーバ３３にハイレゾ素材を出力する。ローレゾサーバ１３は、ローレゾ素材に変換して記憶し、クラウドサーバ３３にローレゾ素材を出力する。
従って、クラウドサーバ３３には、ローレゾ素材とハイレゾ素材の両方が格納される。
【００４５】
一般ユーザのユーザ端末２２は、クラウドのインターネット３１に動画再生リクエストを送信すると、インターネット３１はその動画再生リクエストをクラウドサービス装置３２に出力する。
クラウドサービス装置３２は、内部の検索エンジンを用いて検索を行い、配信制御用のＥＤＬデータを生成してクラウドサーバ３３に出力する。
【００４６】
クラウドサーバ３３は、クラウドサービス装置３２からのＥＤＬデータに基づいて動画データを編集して、インターネット３１に動画配信を行う。
インターネット３１は、ユーザ端末２２に対して動画再生を行う。
【００４７】
そして、既に説明したように、ハイライト動画編集装置１４は、クラウドサービス装置３２にハイライトリクエストを出力し、検索結果のＥＤＬデータの返送を受け、そのＥＤＬデータを素材サーバ１１に出力する。素材サーバ１１は、ＥＤＬデータに基づいてハイライト動画データを編集・生成し、ハイライト動画編集装置１４に出力して操作端末１５の表示部で確認できるようになっている。
【００４８】
また、操作端末１５の表示部で確認したハイライト動画について、特定の人物又は出来事の内容として適正でないと操作者が判断した場合等に、操作者は操作端末１５の入力部からクラウドサービス装置３２における検索結果ＥＤＬデータを変更するために、修正したＥＤＬデータ（修正ＥＤＬデータ）を生成し、ハイライト動画編集装置１４からクラウドサービス装置３２に出力する。
【００４９】
クラウドサービス装置３２は、ハイライトリクエストに対応して生成されるＥＤＬデータを修正ＥＤＬデータに変更してＡＩで学習させることで、インターネット３１からの動画再生リクエストに対して、修正ＥＤＬデータに基づいて編集・生成されるハイライト動画に近づけることができ、特定の人物や出来事に関する映像データを迅速に的確にユーザ端末２２に再生させることができるものである。
【００５０】
［実施の形態の効果］
本システムによれば、ハイライト動画編集装置１４が、操作端末１５から対象とする映像のハイライトリクエストを入力すると、クラウドサービス装置３２にハイライトリクエストを出力し、そのリクエストに対してクラウドサービス装置３２からの検索結果ＥＤＬデータを入力すると、そのＥＤＬデータで素材サーバ１１からハイライト動画データを取得して操作端末１５に出力し、操作端末１５から修正ＥＤＬデータを入力すると、修正ＥＤＬデータをクラウドサービス装置３２に出力するようにしているので、クラウドサービス装置３２に修正ＥＤＬデータをフィードバックして学習させることができ、インターネット３１から動画再生リクエストに基づく検索結果を、目的とする人物や出来事を端的に表す内容に近づけることができ、ハイライト動画の検索精度を向上させることができる効果がある。
【産業上の利用可能性】
【００５１】
本発明は、ハイライト動画を編集してインターネットを介して再生される動画の検索精度を向上できるビデオサーバシステム及びそのプログラムに好適である。
【符号の説明】
【００５２】
１１…素材サーバ、  １２…送出サーバ、  １３…ローレゾサーバ、  １４…ハイライト動画編集装置、  １５…操作端末、  ２１…テレビ、  ２２…ユーザ端末、  ３１…インターネット、  ３２…クラウドサービス装置、  ３３…クラウドサーバ
【図１】
2020154349.tif 000003
【図２】
2020154349.tif 000004
【図３】
2020154349.tif 000005
【図４】
2020154349.tif 000006
【図５】
2020154349.tif 000007
【図６】
2020154349.tif 000008